(57)【要約】【課題】  建物の屋上に防水用や防根用のシートを敷設する必要がなく植物をを成育でき、また、パラペットが低い場合でも、また風がある場合でも、周囲の環境に関係なく水が飛び散ることがなく周囲に迷惑をかけることなく植物に散水できるようにすること。さらには、大雨は勿論、通常の降雨時や散水時の余分な水を効率良く排水させて、根腐れを防止すること。【解決手段】  床面３０との間に空間部３１を形成して前記床面３０上に配置されるベース基盤１と、このベース基盤１の上面に配置されて前記空間部３１により下面が空気と接触するようにして配置されて無機繊維で構成されると共に、植物成育用の培地２０と、前記床面３０上に配置されて前記培地２０の下方から散水を行なう散水ホース４０とで構成されている。【選択図】        図１
2005117946.tif 000002
【特許請求の範囲】
【請求項１】
床面（３０）との間に空間部（３１）を形成して前記床面（３０）上に配置されるベース基盤（１）と、このベース基盤（１）の上面に配置されて前記空間部（３１）により下面が空気と接触するようにして配置されて無機繊維で構成されると共に、植物成育用の培地（２０）と、前記床面（３０）上に配置されて前記培地（２０）の下方から散水を行なう散水用の穴（４１）を有する散水ホース（４０）とで構成されていることを特徴とする植物の散水システム。
【請求項２】
床面（３０）との間に空間部（３１）を形成して前記床面（３０）上に配置されるベース基盤（１）と、このベース基盤（１）の上面に配置されて前記空間部（３１）により下面が空気と接触するようにして配置されて無機繊維で構成されると共に、植物成育用の培地（２０）とで構成され、前記培地（２０）は上層培地マット（２１）と下層培地マット（２２）との２層構造であり、該上層培地マット（２１）と下層培地マット（２２）の間に散水ホース（４０）を配設していることを特徴とする植物の散水システム。
【請求項３】
床面（３０）との間に空間部（３１）を形成して前記床面（３０）上に配置されるベース基盤（１）と、このベース基盤（１）の上面に配置されて前記空間部（３１）により下面が空気と接触するようにして配置されて無機繊維で構成されると共に、植物成育用の培地（２０）とで構成され、前記培地（２０）は上層培地マット（２１）と下層培地マット（２２）との２層構造であり、該上層培地マット（２１）と下層培地マット（２２）の間と、床面（３０）上とに散水ホース（４０）をそれぞれ配設していることを特徴とする植物の散水システム。
【請求項４】
前記散水ホース（４０）の上部に穴（４１）を幅方向に３つ穿孔し、これらの３つの穴（４１）が散水ホース（４０）の長手方向に沿って多数穿孔されていることを特徴とする請求項１〜請求項３にいずれか記載の植物の散水システム。
【請求項５】
前記散水ホース（４０）は、３つの通水路（４３ａ）（４３ｂ）（４３ｃ）が並設されていて、偏平に形成されていることを特徴とする請求項１〜請求項４にいずれか記載の植物の散水システム。
【請求項６】
前記散水ホース（４０）の通水路（４３ａ）は左上方へ向けて散水し、通水路（４３ｂ）は上方へ向けて散水し、通水路（４３ｃ）は右上方へ向けて散水するようにしていることを特徴とする請求項５に記載の植物の散水システム。
【請求項７】
前記散水ホース（４０）の一端を閉塞すると共に、散水ホース（４０）の他端側に水道水と接続される給水タイマー部（５０）を設け、この給水タイマー部（５０）により任意の時刻に任意の時間給水を行なうようにしていることを特徴とする請求項１〜請求項６に記載の植物の散水システム。
【請求項８】
床面（３０）と植物成育用の培地（２０）の下面との間に空間部（３１）を設け、この空間部（３１）に散水用の散水ホース（４０）を設け、この散水ホース（４０）により前記培地（２０）の下方から該培地（２０）の下面に向けて散水するようにしていることを特徴とする植物への散水方法。
【発明の詳細な説明】
【技術分野】
【０００１】
本発明は、一般の家屋やビルなどの建物の屋上や、ベランダ、バルコニー、玄関先などの出入口付近、駐車場などに植栽用として用いる天然芝生などの植物の散水システム及び植物への散水方法に関するものである。
【背景技術】
【０００２】
従来よりビルなどの建物の屋上に大きな鉢に木々を植え込んで緑化が進められてきているが、特に最近では、都市部でのヒートアイランド現象の対策として、緑化が一層期待されている。周知のように都市部では木々が少なく、建築物のコンクリートが外気にむき出しとなり、コンクリートに熱が吸収されることで、建物内での冷房能力を上げることになり、その排気熱と相まって都市部では、一層悪循環となっている。
【０００３】
そこで、ビルの屋上を緑化するために種々の提案がされている。例えば、以下に示す特許文献１である。
【特許文献１】特開平４−１４４６１１号公報（特公平７−７号公報）
【０００４】
この特許文献１は、建築物の屋上を緑化する際に、土壌を屋上に敷設すると土壌の重量が重いため、許容積載荷重の点や、雨水などで土が流されて建築物が汚される点などから、土を使用せずに合成繊維を主材とした方法で緑化を図っている。
しかし、培地として土を用いていないものの、屋上の床面に防水用と防根用を兼ねた合成樹脂シートを敷設しなければならないという問題がある。そのため、ビルの屋上に全面にわたって防水用や防根用のシートを敷設しなければならず、その分、施工に時間がかかり、しかもコスト高になるという問題があった。
【０００５】
また、施工後の排水の観点から考慮すると、特許文献１では下層に排水層が設けてあるものの、この排水層の下面と合成樹脂製シートが密着しているために、雨が大量に降った場合には水はけが悪く根腐れを起こす可能性がある。
さらに、植物の根の部分が直接空気と接触する箇所がないために、下方から根に空気、つまり酸素の供給が出来ない構造となっている。
【０００６】
上記特許文献１において、植物に水をやる場合、その散水が常に最適な量を与えるとは限らず、散水の量が少なすぎては植物が枯れてしまう恐れがあり、逆に水の量が多すぎると、止水と防根用の合成樹脂製のシートにより水の排水が妨げられて、やはり根腐れを起こしてしまうという問題を有している。
【０００７】
ところで、上記特許文献１では、培地への散水についての記載はないが、天然芝生などの植栽に散水する方法としては、従来より（１）散水ホース、（２）散水パイプ、（３）スプリンクラー、（４）点滴式パイプや染み出し式パイプなどがある。
上記（１）〜（３）は上方から植栽に向けて散水する方法であり、建物の屋上での水やりにスプリンクラーや散水パイプで散水すると、パラペットが低かったり、風がある時など、水が周囲に飛び散り、周辺に迷惑をかけてしまう。また、散水面積が広いと散水ホースで水やりをするには、時間と手間がかかってしまう。
【０００８】
そこで、上記（４）は上方から植栽に向けて散水する場合と培地内に埋設して水やりを行なう方法のうち、点滴式パイプや染み出し式パイプを培地内に埋設して注水を行なう場合、高低差があったり、パイプの目詰まり（培地が土の場合）によりうまく注水できないことがある。
【０００９】
また、培地内にパイプを埋設して散水を行なう例としては、例えば、下記に示す特許文献２〜特許文献４がある。
【特許文献２】特開平６−３２７３６７号公報
【特許文献３】特開平９−１３２９５４号公報
【特許文献４】特開２０００−３２４９５３号公報
【００１０】
上記特許文献２は、栽培樋の中にロックウールを詰め込むと共に、このロックウールの中に灌水チューブを埋設し、この灌水チューブによりロックウール内に水を吐出させるようにしている。また、特許文献３では、芝生の下層に水溜め部及び綿からなる吸水材を配設し、この吸収材の中に給水パイプを設けている。
さらに、特許文献４においては、灌水パイプをロックウールフェルトからなる培地材の上方、あるいは内部に設けるようにしている。
【００１１】
しかしながら上記特許文献２においては、ロックウール内に埋設した灌水チューブ等により培地に水やりができるものの、散水量が多量になると、ロックウールの下面は、防根シートが敷設されていることと、排水用のスリットが小さいことから、余剰の水により根腐れが発生し易くなるという問題を有している。
また、特許文献３では、吸水材の下面は防湿材が敷設されているので、特許文献２の場合と同様に散水が多量にされると排水がされず、どうしても余分な水により根腐れが生じてしまう。
【００１２】
さらに、特許文献４においては、箱状のベース板の中に培地材を納装しているので、培地材の下面は閉塞された状態となっており、そのため、灌水パイプから給水を行なう場合に、給水の量が多すぎると、余分な水によりやはり根腐れが生じてしまうという問題がある。
【発明の開示】
【発明が解決しようとする課題】
【００１３】
本発明は上述の問題点に鑑みて提供したものであって、少なくとも以下の目的を有する植物の散水システムを提供するものである。
（１）建物の屋上に防水用や防根用のシートを敷設する必要がなく植物、例えば天然芝生を成育できること。
（２）パラペットが低い場合でも、また風がある場合でも、周囲の環境に関係なく水が飛び散ることがなく周囲に迷惑をかけることなく植物に散水できるようにすること。
（３）散水された水は無駄なく培地に給水できるようにすること。
（４）大雨は勿論、通常の降雨時や散水時の余分な水を効率良く排水させて、根腐れを防止すること。
（５）培地の下方には空間を設けて、培地より下方に伸びようとする根の成長を止めて防根シートなどを不要とすること。
（６）散水用のホースの施工が容易であること。
【課題を解決するための手段】
【００１４】
そこで、本発明の請求項１記載の植物の散水システムでは、床面３０との間に空間部３１を形成して前記床面３０上に配置されるベース基盤１と、このベース基盤１の上面に配置されて前記空間部３１により下面が空気と接触するようにして配置されて無機繊維で構成されると共に、植物成育用の培地２０と、前記床面３０上に配置されて前記培地２０の下方から散水を行なう散水ホース４０とで構成されていることを特徴としている。
【００１５】
請求項２に記載の植物の散水システムでは、床面３０との間に空間部３１を形成して前記床面３０上に配置されるベース基盤１と、このベース基盤１の上面に配置されて前記空間部３１により下面が空気と接触するようにして配置されて無機繊維で構成されると共に、植物成育用の培地２０とで構成され、前記培地２０は上層培地マット２１と下層培地マット２２との２層構造であり、該上層培地マット２１と下層培地マット２２の間に散水ホース４０を配設していることを特徴としている。
【００１６】
請求項３に記載の植物の散水システムでは、床面３０との間に空間部３１を形成して前記床面３０上に配置されるベース基盤１と、このベース基盤１の上面に配置されて前記空間部３１により下面が空気と接触するようにして配置されて無機繊維で構成されると共に、植物成育用の培地２０とで構成され、前記培地２０は上層培地マット２１と下層培地マット２２との２層構造であり、該上層培地マット２１と下層培地マット２２の間と、床面３０上とに散水ホース４０をそれぞれ配設していることを特徴としている。
【００１７】
請求項４に記載の植物の散水システムでは、前記散水ホース４０の上部に穴４１を幅方向に３つ穿孔し、これらの３つの穴４１が散水ホース４０の長手方向に沿って多数穿孔されていることを特徴としている。
【００１８】
請求項５に記載の植物の散水システムでは、前記散水ホース４０は、３つの通水路４３ａ、４３ｂ、４３ｃが並設されていて、偏平に形成されていることを特徴としている。
【００１９】
請求項６に記載の植物の散水システムでは、前記散水ホース４０の通水路４３ａは左上方へ向けて散水し、通水路４３ｂは上方へ向けて散水し、通水路４３ｃは右上方へ向けて散水するようにしていることを特徴としている。
【００２０】
請求項７に記載の植物の散水システムでは、前記散水ホース４０の一端を閉塞すると共に、散水ホース４０の他端側に水道水と接続される給水タイマー部５０を設け、この給水タイマー部５０により任意の時刻に任意の時間給水を行なうようにしていることを特徴としている。
【００２１】
請求項８に記載の植物への散水方法では、床面３０と植物成育用の培地２０の下面との間に空間部３１を設け、この空間部３１に散水用の散水ホース４０を設け、この散水ホース４０により前記培地２０の下方から該培地２０の下面に向けて散水するようにしていることを特徴としている。
【発明の効果】
【００２２】
本発明の植物の散水システムによれば、散水ホース４０から水を培地２０に向けて散水した場合、培地２０は無機繊維の構造となっているので毛細管現象により上方、あるいは下方へと水が培地２０内に浸透していき、また、余分な水は無機繊維の上層培地マット２１から下層培地マット２２へと伝っていき、さらに下層培地マット２２の下面から水が落下していく。そして、下層培地マット２２から落下した水は、建物の屋上の床面３０から既設の排水溝へと流れ、通常の雨水の場合と同様に流れるようになっている。
したがって、培地２０の下面は、従来のように防水、防根用のシートを敷設せず、ベース基盤１により空間部３１を設けているので、散水時における余分な水は培地２０内に溜まることなく床面３０へとスムーズに排水されるようになっている。そのため、培地２０内で根腐れを起こすこともない。
【００２３】
また、散水ホース４０を上層培地マット２１と下層培地マット２２との間に配設している場合には、散水された水は無駄なく培地２０に給水でき、また、大雨はもちろん、通常の降雨時や散水時においても、飽和した場合などの余分な水は効率良く排水され、根腐れを確実に防止できる。
さらに、散水ホース４０を上層培地マット２１の上面に配設するのではなく、上層培地マット２１の下面側や、床面３０の上に配設しているので、散水ホース４０が外観に現れることがなく、美観を損ねることもない。また、天然芝生２３は上から散水する必然性もなく、根に給水を行なえば良く、培地２０の下方や培地２０の内部から散水ホース４０にて散水させることで、建物の屋上での水やりにスプリンクラーや散水パイプで散水するのと比べて、屋上のパラペットが低かったり、風があっても水が周囲に飛び散るということもなく、周囲に迷惑をかけるということもない。
【００２４】
また、散水ホース４０の上部に穴４１を幅方向に３つ穿孔し、これらの３つの穴４１が散水ホース４０の長手方向に沿って多数穿孔しているので、培地２０の下面や内部で満遍なく散水することができる。
【００２５】
さらに、散水ホース４０は、３つの通水路４３ａ、４３ｂ、４３ｃが並設されていて、偏平に形成され、散水ホース４０の通水路４３ａは左上方へ向けて散水し、通水路４３ｂは上方へ向けて散水し、通水路４３ｃは右上方へ向けて散水するようにしているので、培地２０の下面や内部で満遍なく散水することができる。しかも、散水ホース４０を偏平としているので、単に床面３０や下層培地マット２２の上面に配設する場合でも、穴４１の位置が特定されているので、穴４１の位置を気にすることなく配設できて、散水ホース４０の施工が容易となる。また、下層培地マット２２の上面に配設しても、散水ホース４０の厚みが薄いので、上層培地マット２１の膨らみもあまり目立たず、上から踏んだ場合でもそれほど違和感は生じない。
【００２６】
また、散水ホース４０の一端を閉塞すると共に、散水ホース４０の他端側に水道水と接続される給水タイマー部５０を設け、この給水タイマー部５０により任意の時刻に任意の時間給水を行なうようにしているので、緑化ユニットＡへの散水を完全に無人化（自動化）することができ、いちいち屋上に上がって緑化ユニットＡに散水を行なう必要がなく、また、散水を忘れることがないので、緑化ユニットＡの天然芝生２３などの植物を枯れさせるということもない。
【００２７】
さらに、床面３０と植物成育用の培地２０の下面との間に空間部３１を設け、この空間部３１に散水用の散水ホース４０を設け、この散水ホース４０により前記培地２０の下方から該培地２０の下面に向けて散水するようにした散水方法としているので、散水ホース４０が外観に現れることがなく、美観を損ねることもなく、また、天然芝生２３は上から散水する必然性もなく、根に給水を行なえば良く、培地２０の下方から散水ホース４０にて散水させることで、建物の屋上での水やりにスプリンクラーや散水パイプで散水するのと比べて、屋上のパラペットが低かったり、風があっても水が周囲に飛び散るということもなく、周囲に迷惑をかけるということもない。さらに、散水ホース４０は空間部３１つまり床面３０上に配置するだけなので、散水ホース４０の施工（配設）も容易である。
【発明を実施するための最良の形態】
【００２８】
（第１の実施の形態）
以下、本発明の第１の実施の形態を図面を参照して詳細に説明する。図１は本発明に係る緑化ユニットＡの正面図を示し、この緑化ユニットＡは、建物などのの屋上や屋根に直接敷設されるベース基盤１と、このベース基盤１の上面に着脱自在に配設される培地２０とで構成されている。また、図２は上記ベース基盤１の平面図を示している。
【００２９】
上記ベース基盤１の平面部分は、四角枠状の枠体２の内側に複数の縦桟３が所定の間隔毎に配置されており、また、縦桟３に所定の間隔毎に配置されている横桟４が直交して全体として格子状に形成されている。そして、縦桟３と横桟４の１条おきに交差している直交部分の下面からは略円筒状の下部支柱５が一体に垂設されている。この下部支柱５は上下に貫通しており、また、各下部支柱５の上下方向の寸法はそれぞれ同一としている。
なお、図１ではベース基盤１の下部支柱５の数は適宜図示省略しており、４本の下部支柱５だけを描いている。
【００３０】
ここで、図２で、下部支柱５、縦桟３及び横桟４からなる枠体２を示している実線部分以外の部分は所謂穴あき部分の上下に貫通した開口部７としている。
ベース基盤１の上面に培地２０が配設された場合に、該培地２０の下面が上記開口部７を介して直接空気（外気）と接触するようにしている。そして、培地２０の下面が空気と接触する面積はできるだけ大きい方が良く、そのため、上記縦桟３や横桟４の幅寸法は出来るだけ短い方が良い。
【００３１】
また、ベース基盤１の高さの寸法は、この例では、例えば２０ｍｍとしているが、後述する散水ホースが配設される寸法があれば良い。また、２０ｍｍに限定されず、培地２０の下面が空気と接触可能な寸法であれば良く、例えば、ベース基盤１の高さを５ｍｍ程度として、少なくとも５ｍｍ以上あれば良い。
また、ベース基盤１が敷設される床面３０と培地２０の下面との間を空間部３１とし、このベース基盤１により空間部３１を形成して、該空間部３１により培地２０の下面が空気と直接接触するようにしている。
【００３２】
ここで、ベース基盤１の材料は、プラスティック、金属、木などで構成することができるが、現在、市場で回収され、その利用が促進されている廃ペットボトルの再生樹脂を使用するのがリサイクル化の点から好適例である。
また、床面３０は一応平面状となっているものの、必ずしも平面とは限らず、多少の凹凸や傾斜があるのが現状であり、これらの凹凸があっても、ベース基盤１がなじんでがたつかないように、ベース基盤１には可撓性を持たせている。しかし、材料やコストとの関係からベース基盤１に可撓性を持たせないようにしても良い。
【００３３】
次に、ベース基盤１の上面に配置する培地２０の構造ないし構成について説明する。図１に示すマット状の培地２０は、土や、従来のパーライト、バーミキュライト、セラミック粒、有機繊維、樹脂類等やこれらと土を混合した類の人工培土を一切使用せずに、ロックウール、スラグウール、岩綿、グラスウール、セラミックウール等の無機繊維のみを材料としているものである。
この培地２０の材料として、上述したように無機繊維を使用しているので（土を使用していないので）、本発明の緑化ユニットＡを建物の屋上に施工した場合、降雨時や灌水時における濁り水（土汁）が流れ出ることはなく、また、そのためのビルなどの建築物の屋上の排水口のメンテナンスが不要である。
【００３４】
マット状の培地２０は、図示するように育苗用マットとしての上層培地マット２１と、成育用マットとしての下層培地マット２２との複数層で構成されており、上層培地マット２１に地被植物である天然芝生の種を蒔いて発芽させ、上層培地マット２１の上面で天然芝生２３を育苗している。
また、下層培地マット２２は、上層培地マット２１で伸びてきた天然芝生２３の根を浸透させて、該天然芝生２３の根を成育させるようにしている。
【００３５】
培地２０を無機繊維で構成しているので、繊維質の特徴である透水性、保水性、保肥性を、その嵩密度で調整できる利点がある。本発明では、培地２０の嵩密度を６０ｋｇ／ｍ3 〜２００ｋｇ／ｍ3 の範囲の中で任意の嵩密度のものを用いている。
なお、本発明では、特に、８０ｋｇ／ｍ3 〜１２０ｋｇ／ｍ3 が好適例である。
【００３６】
また、培地２０の上層培地マット２１の厚みは、実施例では２５ｍｍ、下層培地マット２２の厚みは３５ｍｍとし、ベース基盤１の上下方向の寸法を２０ｍｍとし、緑化ユニットＡの全体の高さを約８０ｍｍとしている。
また、上層培地マット２１及び下層培地マット２２は無機繊維つまり繊維質なので、繊維の筋方向を横方向にした場合に上から踏んだ場合にはクッション性に富んでいる。しかし、人が緑化ユニットＡの天然芝生２３を踏んだ場合に、クッション性が有り過ぎると天然芝生２３を用いているにも関わらず違和感を与えてしまうことになる。
【００３７】
さらに、上層培地マット２１及び下層培地マット２２の繊維の筋方向を共に横方向にした場合には、踏み圧に耐え切れず、植栽用人工地盤の上にかなりの頻度で踏み続けられると、やがてヘタリが生じて元のようなクッション性が無くなる恐れもある。
【００３８】
そこで、本発明では試行錯誤の結果、もともと備えているクッション性を損なわず、且つ踏み圧に対してヘタリが生じないように、マット状の培地２０を上述したように上層培地マット２１と下層培地マット２２との２層に分離し、且つ、上層培地マット２１の繊維の筋の向きは横方向とし（図１の横方向の波形参照）、下層培地マット２２の繊維の筋の向きは縦方向（図１の縦方向の波形参照）としたものである。
【００３９】
下層培地マット２２では、その繊維の方向を縦方向としているので、踏み圧に対して耐久性があり、そのため踏み圧に対してのヘタリを防止することができる。また、同時に上層培地マット２１はその繊維の方向を横方向としているので、人が踏んだ場合のクッション性を維持でき、地面の天然芝生を踏んだ場合と同様な感触を与えることができ、天然芝生２３を踏んだ場合に人に違和感を与えることもない。
このように、下層培地マット２２の繊維の方向を縦方向とし、この下層培地マット２２の上に配置される上層培地マット２１の繊維の方向を横方向とすることで、繊維質マットの踏み圧に弱いのを補い、繊維質マットの利点であるクッション性を活かすことができる一石二鳥の特徴を備えている。
【００４０】
ここで、天然芝生２３がある程度成育してくると、天然芝生２３の根は上層培地マット２１から下層培地マット２２まで伸びてくる。天然芝生２３への散水は、必ずしも天然芝生２３の上から行なう必要はなく、天然芝生２３の根に給水を行なえば良い。
そこで、本発明では従来全く考えられなかった方法で散水を行なうようにしたものであり、図１に示すように天然芝生２３の根の下方から断面を円形とした散水ホース４０で散水を行なうようにしたものである。
【００４１】
この散水ホース４０は床面３０の上に配設するようにしたものであり、図１及び図３に示すように、下部支柱５の間に配置し、散水ホース４０の上面に図４に示すように穴４１を穿孔している。そして、散水ホース４０の元は水道と直結され、散水ホース４０の末端は器具（図示せず）により閉塞されている。
散水ホース４０の穴４１は該散水ホース４０の長手方向に沿って所定の間隔毎に穿孔したものであり、散水ホース４０内の水圧により図５に示すように噴水状に上方へ高く勢い良く散水（噴射）される。なお、穴４１の間隔は特に限定されるものではなく、培地２０に効率良く保水されるようにすれば良い。また、図示例では散水ホース４０を１本のみ配設しているが、適宜の本数を配設するようにしている。この散水ホース４０の材料は、金属製でも、可撓性を備えた合成樹脂製でも良く、後から適宜穴４１を穿孔するようにしている。
【００４２】
また、図６に示すように散水ホース４０の穴４１の形状も、円形以外にスリット状の長穴形状としても良い。図４及び図６においては、散水ホース４０の穴４１は、長手方向に沿って１条のみとしているが、図７に示すように、横方向に３つ穿孔するようにしても良い。
図７（ａ）は３つの穴４１を横方向に直線状に設けた場合を示し、図７（ｂ）は３つの穴４１を斜めに形成した場合を示している。図５の場合では、穴４１が噴射される水は真上方向であるが、横方向に３つの穴４１を形成することで、図８に示すように真上方向、左右方向へと散水ホース４０の上方へ満遍なく水を噴射させることができる。これにより、１本の散水ホース４０から培地２０の下面に散水する面積を広くでき、効率良く培地２０に満遍なく散水することができる。
【００４３】
図９は、図４に示す散水ホース４０を複数本配置した場合を示し、散水ホース４０の穴４１からの水は真上方向だけなので、培地２０の下面に散水できる面積が狭いので、それに対応すべく配置する散水ホース４０間の間隔を狭くしたものである。
一方、横方向に３つの穴４１を形成した場合の散水ホース４０では、培地２０の下面に散水できる面積が広いので、図１０に示すように配置する散水ホース４０の間隔を広くとって、施工コストや材料コストを安価にすることができる。
【００４４】
床面３０に配設した散水ホース４０で培地２０へ散水した場合に、培地２０は無機繊維の構造となっているので、毛細管現象により水が上方へ伝って培地２０内に水が浸透していく。
なお、種を植えた直後から根が下層培地マット２２の下部付近まで成育するまで、上層培地マット２１の上から散水し、根が下層培地マット２２の下部付近まで成育した場合には、床面３０のみに配設して散水ホース４０で散水するようにしても良い。
【００４５】
図１１は本実施形態の他の例を示し、散水ホース４０を上層培地マット２１と下層培地マット２２との間に配設した場合を示している。具体的には上層培地マット２１の下面に断面を略コ字型で下面を開口した溝４２を形成し、散水ホース４０を下層培地マット２２の上面に配置し、上層培地マット２１を下層培地マット２２の上面に配設した場合に散水ホース４０が溝４２内に位置するようにしたものである。
【００４６】
この実施形態では、散水ホース４０に穿孔する穴４１の位置は図１２に示すように、上側に３つ、下側に３つ穿孔している。これにより、上層培地マット２１及び下層培地マット２２に広い面積にわたって満遍なく散水することができる。
また、散水した水は、上層培地マット２１から下層培地マット２２へと自然に伝わっていくので、散水ホース４０の穴４１は、上側に３つだけ形成するようにしても良い。
【００４７】
下層培地マット２２の上面に散水ホース４０を配設した場合には、上層培地マット２１内へは毛細管現象により上部まで十分に水が伝って浸透していき、天然芝生２３の根はもちろん種を巻いた直後においても十分に給水を行なうことができる。
【００４８】
図１３は本実施形態の更に他の例を示し、散水ホース４０を上層培地マット２１と下層培地マット２２の間にと、床面３０の上に配置した場合を示すものである。この例では、上層培地マット２１側に配置された散水ホース４０により上層培地マット２１側に散水され、床面３０に配置した散水ホース４０により下層培地マット２２側が散水される。これにより、効率良く且つ満遍なく培地２０に散水されることになる。
この場合では、上下の２つの散水ホース４０により、上層培地マット２１と下層培地マット２２へは十分に給水を行なうことができ、しかも、給水をし過ぎても培地２０から余分な水を効率良く排水できるので、水分が培地２０内に溜まって根腐れを起こすこともない。
【００４９】
なお、上記の説明では散水ホース４０の形状の断面を略円形としていたが、材料を金属製で構成し、断面を略四角形状や三角形状としても良い。散水ホース４０の断面を略円形とした場合、散水用の穴４１の位置決めが難しい場合があり、そのため、断面形状を矩形とすることで、穴４１の位置決めと散水ホース４０自体の配設が容易となる。
【００５０】
（第２の実施の形態）
先の実施形態の散水ホース４０では、断面を略円形としていたが、本実施形態では図１４〜図１６に示すように、散水ホース４０自体の形状を偏平な形状とし、３つの通水路４３ａ、４３ｂ、４３ｃを備えている。これらの通水路４３ａ、４３ｂ、４３ｃの形状の断面を横向きの楕円形として散水ホース４０の上下方向の厚みを約６ｍｍとしている。
また、図１５に示すように散水ホース４０の各通水路４３ａ、４３ｂ、４３ｃの上方にはスリット状の穴４１をそれぞれ所定間隔毎に設けている。そして、散水ホース４０の中央の通水路４３ｂの穴４１からは水が真上方向に噴射し、左側の通水路４３ａの穴４１からは水が左方向に噴射し、右側の通水路４３ｃの穴４１からは水が右方向の噴射するようになっている。なお、穴４１はスリット状でなく、円形としても良いのはもちろんである。
【００５１】
図１４では、ベース基盤１の空間部３１内であって床面３０上に配置した場合を示し、散水ホース４０の各通水路４３ａ、４３ｂ、４３ｃから下層培地マット２２の下面に向けて散水する。この散水ホース４０は上述したように３つの通水路４３ａ、４３ｂ、４３ｃの穴４１から真上方向と左右方向に向けて散水されるので、広い面積にわたって水を下層培地マット２２の下面に満遍なく散水することができる。
【００５２】
図１７は、上層培地マット２１と下層培地マット２２との間に散水ホース４０を配設した場合を示し、本実施形態では、散水ホース４０の厚みが薄いので、散水ホース４０を下層培地マット２２の上面に配設して、その上から上層培地マット２１を単に載せているだけである。つまり、先の実施形態とは異なり、配置用の溝４２は形成していないものであり、溝４２の加工の手間を省くことができ、その分加工コストの上昇を抑えることができる。
【００５３】
図１８は、上層培地マット２１と下層培地マット２２との間と、床面３０の上にそれぞれ散水ホース４０を配設した場合を示している。この例では、上層培地マット２１側に配置された散水ホース４０により上層培地マット２１側に散水され、床面３０に配置した散水ホース４０により下層培地マット２２側が散水される。これにより、効率良く且つ満遍なく培地２０が散水されることになる。
【００５４】
上記各実施形態において、散水ホース４０から水を培地２０に向けて散水するが、多量の水を散水した場合、培地２０に水が浸透していき、余分な水は上層培地マット２１から下層培地マット２２へと伝っていき、さらに下層培地マット２２の下面から水が落下していく。そして、下層培地マット２２から落下した水は、建物の屋上の床面３０から既設の排水溝へと流れ、通常の雨水の場合と同様に流れるようになっている。
したがって、本発明では培地２０の下面は、従来のように防水、防根用のシートを敷設せず、ベース基盤１により空間部３１を設けているので、散水時における余分な水は培地２０内に溜まることなく床面３０へとスムーズに排水されるようになっている。
【００５５】
降雨時や散水時においては、あるいは肥料を与えた場合などにおいて、上層培地マット２１から下層培地マット２２へと水は浸透していく。無機繊維の上層培地マット２１及び下層培地マット２２は、繊維質のために、従来の土や種々の人工土壌と比べて保水性や保肥性が良く、上層培地マット２１及び下層培地マット２２に十分に水を与えることができる。
【００５６】
また、余分な水は、下層培地マット２２を通り越してベース基盤１の開口部７から床面３０に流れ落ちていき、この流れ落ちた水は屋上の排水溝ないし排水口から排水される。特に、下層培地マット２２はその繊維の筋方向を縦方向としているので、水はけが一層良く、余分な水をスムーズに排水させることができる。また、水はけが良いので、水が滞留することがなく、滞留水によるレジオネラ菌が発生することもない。また、培地２０に従来とは異なり土を用いていないので、土の類は一切流れず、余分な水のみが排水されるだけであり、濁り水（土汁）の心配や排水口のメンテナンスが不要となる。特に、大雨の場合にでも、余分な水として、濁り水を伴うことなく効率良く排水することができる。
また、このように余分な水を培地２０に溜めることなく排水を良くしているので、従来、水はけが悪くて根腐れを起こし易いこの種の繊維質を培地２０として本発明では使用することが可能となったものである。
【００５７】
また、ベース基盤１の下部支柱５により床面３０との間に形成される空間部３１からも天然芝生２３の根に酸素（空気）を与えることができ、また、この空間部３１により従来のほとんどの人工地盤に必要であった防根層（防根シート）や防水層（防水シート）が全く不要になり、既設の建物に対しても新たな工事をする必要がなく、その分、作業費用や材料費用が無くなり、安価に緑化することができるという大きなメリットを有している。
【００５８】
特に、ベース基盤１、上層培地マット２１及び下層培地マット２２からなる緑化ユニットＡは、建物の屋上や舗装された駐車場等の施工面の防水や防根対策が不要であり、そのまま施工が可能である。すなわち、施工面（床面３０）とベース基盤１の下面との間に空間部３１が形成されているので、排水性を良くし、また、この空間部３１を介して根に酸素を培地２０の繊維質の空隙を利用して供給される。さらに、下層培地マット２２の下面まで伸びてきた根は、ベース基盤１の開口部７の空気に触れて成長が止まるものであり、空間部３１へは根は伸びないものである。そのため、床面３０等の施工面には防根対策が不要となるものである。
【００５９】
また、上記のようにベース基盤１により下層培地マット２２の下面と床面３０との間に空間部３１を設けていることで、散水ホース４０を床面３０、あるいは床面３０及び下層培地マット２２の上面に、あるいは下層培地マット２２の上面のみに配設して培地２０に散水した場合の流れ落ちた水や、培地２０から排水された余分な水は、培地２０内に滞留することなく排水されることになる。
【００６０】
特に、散水ホース４０を上層培地マット２１の上面に配設するのではなく、上層培地マット２１の下面側や、床面３０の上に配設しているので、散水ホース４０が外観に現れることがなく、美観を損ねることもない。また、天然芝生２３は上から散水する必然性もなく、根に給水を行なえば良く、培地２０の下方から散水ホース４０にて散水させるという考え方も本発明で初めて成されたものである。
また、培地２０の上から散水するのではなく、培地２０の下方から上方へ、また培地２０の内部から散水ホース４０にて散水させることで、建物の屋上での水やりにスプリンクラーや散水パイプで散水するのと比べて、屋上のパラペットが低かったり、風があっても水が周囲に飛び散るということもなく、周囲に迷惑をかけるということもない。
【００６１】
なお、床面３０にのみ散水ホース４０を配設している場合、下層培地マット２２を介して上層培地マット２１へ水が浸透しにくいので、天然芝生２３の成育後の下層培地マット２２まで根が伸びてきた場合には特に有効である。
しかし、上層培地マット２１への効率的な給水を考えた場合、下層培地マット２２の上面に散水ホース４０を配設するのが好適例であり、コストも安価に出来る。また、この場合、散水ホース４０にて上層培地マット２１へは十分に給水でき、上層培地マット２１に給水された水が徐々に下層培地マット２２へと浸透していき、培地２０の全体にわたって効率良く給水を行なうことができる。
【００６２】
図１９は多数の緑化ユニットＡを建物の屋上に敷設した場合を示し、所定の大きさに形成されている緑化ユニットＡを順次敷設していく。散水ホース４０を床面３０にのみ配設する場合は、散水ホース４０を先に配設した後に緑化ユニットＡを敷設する。
また、下層培地マット２２の上面に散水ホース４０を敷設する場合には、ベース基盤１と下層培地マット２２を先に敷設していき、その後に散水ホース４０を配設してから上層培地マット２１を下層培地マット２２の上面に敷設していく。なお、散水ホース４０の配設の種類は、床面３０にのみ配設する場合、下層培地マット２２の上面にのみ配設する場合、床面３０上と下層培地マット２２の上面の２か所に配設する場合のいずれでも良い。
【００６３】
散水ホース４０の端部は図外の器具にて閉塞し、他方の端部は接続器具４５に接続し、接続器具４５同士はホース４６に配管接続をする。また、給水元側には給水タイマー部５０が設けられていて、この給水タイマー部５０の出力側はホース４６と接続され、入力側は水道側のホース４７と接続されるようになっている。
【００６４】
図２０は上記給水タイマー部５０のブロック図を示し、この給水タイマー部５０は、例えば、朝の７時及び夕方の６時など散水する時刻を設定する散水時刻設定部５１と、散水する時の例えば、１５分、２０分などの散水時間を設定する散水時間設定部５２と、散水を毎日行なうのか、あるいは１日置きなどの散水の日を設定する散水日設定部５３と、これらの各設定部５１〜５３からの信号を受けて電磁弁５５を開閉制御する制御部５４等で構成されている。なお、この制御部５４は、例えばマイクロコンピュータで構成されている。
そして、散水時刻設定部５１では、任意の時刻に設定でき、散水時間設定部５２では任意の時間だけ散水が可能なように設定でき、散水日設定部５３においては、任意の曜日や、１カ月のうちの任意の日に設定することができるようになっている。
【００６５】
この給水タイマー部５０を水道側と緑化ユニットＡの間に介設しておくことで、緑化ユニットＡへの散水を完全に無人化（自動化）することができ、いちいち屋上に上がって緑化ユニットＡに散水を行なう必要がなく、また、散水を忘れることがないので、緑化ユニットＡの天然芝生２３を枯れさせるということもない。
【００６６】
このように本実施形態では、緑化ユニットＡの培地２０に無機繊維培地を用いていること、且つ培地２０の下面と床面３０との間に空間部３１を形成すべくベース基盤１を用いていることを前提として、上記散水ホース４０を設置していることで、培地２０の下面や中間層から培地２０へ効率良く且つ満遍なく給水することができる。また、ベース基盤１により根に空気を送ることもでき、さらに、無機繊維の培地２０で飽和になった水の排水を効率良く行なうことができるものである。なお、空間部３１の寸法（ベース基盤１の上下方向の寸法）であるが、５ｍｍ〜３０ｍｍの範囲であれば良く、３０ｍｍ以上の寸法とすると、緑化ユニットＡの厚みが厚くなりすぎるため、上記の寸法の範囲内が好適例である。もちろん使用する散水ホース４０の厚み分は確保する必要はある。
なお、従来の散水パイプや染み出しパイプでは、床面３０に高低差があったり、パイプの径により無機繊維培地には踏み圧の関係で不向きである。
【００６７】
また、散水ホース４０を下層培地マット２２の上面に配設した場合には、散水ホース４０からの水は無駄なく上層培地マット２１及び下層培地マット２２に給水することができる。また、散水ホース４０を床面３０に配設する場合には、散水ホース４０を単に床面３０上に配置するだけなので、散水ホース４０の施工が容易となる。特に、図１５に示す偏平な散水ホース４０の場合には、穴４１の位置が特定されるので、穴４１の位置を考えることなく単に散水ホース４０を配設するだけで良く、施工が容易となる。
さらに、図１５に示す偏平な散水ホース４０の場合において、該散水ホース４０を上層培地マット２１と下層培地マット２２との間に配設する場合、散水ホース４０自体が薄いので、上層培地マット２１の上面の膨らみもあまり目立たず、上から踏んだ場合でもそれほど違和感が生じない。
【００６８】
（第３の実施の形態）
図２１に第３の実施形態を示す。この実施形態では、培地２０を２層ではなく、１層としたものであり、また、培地２０の嵩密度を１２０ｋｇ／ｍ3 とした場合である。もちろん、培地２０の嵩密度はこれに限られるものではなく、６０ｋｇ／ｍ3 〜２００ｋｇ／ｍ3 の範囲内の任意の嵩密度を用いても良いものである。
先の実施形態では、上層培地マット２１と下層培地マット２２との２層としていたので、床面３０上にのみ散水ホース４０を配設した場合、上層培地マット２１への水の浸透がスムーズいかない恐れがある。
【００６９】
しかし、本実施形態では培地２０と１層としているので、床面３０上に配設した散水ホース４０による散水でも、無機繊維の培地２０の毛細管現象により培地２０の上部まで水が浸透し、効率良く散水を行なうことができる。
もちろん、給水により培地２０が飽和した場合には、培地２０の下面から余分な水が排水されて、根腐れを起こすこともなく、流れ落ちた水は既設の排水溝や排水口を介して排水される。
【００７０】
なお、先の実施形態では、主にビルの屋上に緑化ユニットＡを施工する場合について説明したが、本発明の緑化ユニットＡはビルの屋上に限らず、ベランダ、バルコニー、玄関先などの出入口付近、駐車場などにも適用することができる。また、施工面はコンクリートに限らず、一般の地面にも容易且つ簡単に施工することができるものである。
【００７１】
また、先の実施形態では緑化ユニットＡの植物を天然芝生２３の場合について説明したが、天然芝生２３に限らず他の植物でも良い。さらに、ベース基盤１の形状も図示のものに限らず、培地２０の下面と床面３０との間に空間部３１を形成し、培地２０の下面ができるだけ広い面積で空気と接触することができるものであれば、どのような形状のものでも良い。
【００７２】
（第４の実施の形態）
第４の実施形態を図２２に示す。この実施形態では、上部の上層培地マット２１を２つに分割し、その分割した上層培地マット２１の間に偏平な散水ホース４０を縦にして配設したものである。３つの通水路４３ａ、４３ｂ、４３ｃが上下方向に配置され、さらに通水路４３ａ、４３ｂ、４３ｃの両側にそれぞれ横方向に水が噴射するように穴（図示せず）を穿孔するようにしている。
この実施形態においても、先の実施形態と同様の効果を奏するものである。
【００７３】
なお、各実施形態の中で、床面３０上の空間部３１に散水ホース４０を配置して、この散水ホース４０により培地２０の下方から該培地２０の下面に向けて散水するようにした散水方法としているので、散水ホース４０が外観に現れることがなく、美観を損ねることもなく、また、天然芝生２３は上から散水する必然性もなく、根に給水を行なえば良く、培地２０の下方から散水ホース４０にて散水させることで、建物の屋上での水やりにスプリンクラーや散水パイプで散水するのと比べて、屋上のパラペットが低かったり、風があっても水が周囲に飛び散るということもなく、周囲に迷惑をかけるということもない。さらに、散水ホース４０は空間部３１つまり床面３０上に配置するだけなので、散水ホース４０の施工（配設）も容易である。
【図面の簡単な説明】
【００７４】
【図１】本発明の第１の実施の形態における散水ホースを床面上に配設した場合の緑化ユニットの平面図である。
【図２】本発明の第１の実施の形態におけるベース基盤の平面図である。
【図３】本発明の第１の実施の形態における緑化ユニットの平面図である。
【図４】本発明の第１の実施の形態における散水ホースの要部平面図である。
【図５】本発明の第１の実施の形態における散水ホースの断面図である。
【図６】本発明の第１の実施の形態における散水ホースの穴の他の例を示す図である。
【図７】（ａ）（ｂ）は本発明の第１の実施の形態における散水ホースの穴の配置状態を示す図である。
【図８】本発明の第１の実施の形態における散水ホースの噴射状態を示す図である。
【図９】本発明の第１の実施の形態における３本の散水ホースを配設した状態を示す図である。
【図１０】本発明の第１の実施の形態における２本の散水ホースを配設した状態を示す図である。
【図１１】本発明の第１の実施の形態における下層培地マットの上面を散水ホースを配設した場合を示す図である。
【図１２】本発明の第１の実施の形態における散水ホースの断面図である。
【図１３】本発明の第１の実施の形態における散水ホースを床面上と下層培地マットの上面に配設した場合を示す図である。
【図１４】本発明の第２の実施の形態における散水ホースを床面の上面に配設した場合の図である。
【図１５】本発明の第２の実施の形態における散水ホースの説明図である。
【図１６】本発明の第２の実施の形態における散水ホースの穴の配置状態を示す図である。
【図１７】本発明の第２の実施の形態における散水ホースを下層培地マットの上面に配設した場合の図である。
【図１８】本発明の第２の実施の形態における散水ホースを床面上と下層培地マットの上面に配設した場合の図である。
【図１９】本発明の実施の形態における多数の緑化ユニットを敷設した場合の図である。
【図２０】本発明の実施の形態における給水タイマー部のブロック図である。
【図２１】本発明の第３の実施の形態における緑化ユニットの正面図である。
【図２２】本発明の第４の実施の形態における緑化ユニットの正面図である。
【符号の説明】
【００７５】
Ａ  緑化ユニット
１  ベース基盤
２０  培地
２１  上層培地マット
２２  下層培地マット
２３  天然芝生
３０  床面
３１  空間部
４０  散水ホース
４１  穴
４３ａ、４３ｂ、４３ｃ  通水路
５０  給水タイマー部
【図１】
2005117946.tif 000003
【図２】
2005117946.tif 000004
【図３】
2005117946.tif 000005
【図４】
2005117946.tif 000006
【図５】
2005117946.tif 000007
【図６】
2005117946.tif 000008
【図７】
2005117946.tif 000009
【図８】
2005117946.tif 000010
【図９】
2005117946.tif 000011
【図１０】
2005117946.tif 000012
【図１１】
2005117946.tif 000013
【図１２】
2005117946.tif 000014
【図１３】
2005117946.tif 000015
【図１４】
2005117946.tif 000016
【図１５】
2005117946.tif 000017
【図１６】
2005117946.tif 000018
【図１７】
2005117946.tif 000019
【図１８】
2005117946.tif 000020
【図１９】
2005117946.tif 000021
【図２０】
2005117946.tif 000022
【図２１】
2005117946.tif 000023
【図２２】
2005117946.tif 000024